(57)【要約】【課題】携帯電話機を片手で把持しボタン操作する場合、親指の付け根付近の手のひら部分にかかる保持力を不要とし、同手親指によるボタン操作性を図るとともに、親指の動きをより自然な状態にすることができる携帯電話用指固定具を提供することである。【解決手段】親指以外の四指のいずれかの指先を背面から押さえる樹脂あるいは金属からなる複数の翼を有する形状の押圧部１と、前記押圧部１を携帯電話機のボタン操作部の背面に固定するための吸盤等を用いた吸着部２、押圧部１と吸着部２を繋ぐ接続部３によって構成される携帯電話用指固定具を装着し、押圧部１と携帯電話機の間に指を挿入し接続部３を２本の指により挟持することにより、携帯電話機のボタン操作が、容易に、かつ親指あるいは親指の付け根付近の手のひら部分に負担をかけることなく行える。【選択図】図１
2007053603.tif 000002
【特許請求の範囲】
【請求項１】
メール機能、カメラ機能等をそなえた携帯電話機（９０）の背面に取り付けられる指固定具であり、親指以外の四指のいずれかの指先を背面から押さえるための、樹脂あるいは金属からなる、複数の翼を有する形状の押圧部（１）と、前記押圧部（１）を携帯電話機の背面に固定するための吸盤等を用いた吸着部（２）、さらに、押圧部（１）と吸着部（２）を繋ぐ接続部（３）により構成されることを特徴とする携帯電話用指固定具（１０）。
【請求項２】
上記押圧部（１）の代りに、球状の押圧部（１１）とし、上記吸着部（２）と、この球状の押圧部（１１）を繋ぐ接続部（３）により構成されることを特徴とする携帯電話用指固定具（２０）。
【請求項３】
上記押圧部（１）の代りに、上記吸着部（２）の吸着面に対し平行方向に開口部を有する断面コ字状の押圧部（１２）、又は断面楔状の押圧部（１３）とし、この押圧部（１２、又は１３）が、接続部（３）を介すか介せずして、吸着部（２）と接続されていることを特徴とする携帯電話用指固定具（３０）。
【請求項４】
上記押圧部（１）の代りに、上記吸着部（２）の吸着面に対し平行方向に円盤状の平板を有し、その両端には中央に向かい斜め上方に延びた一対の舌片（１５、１５）を持った形状の押圧部（１４）とし、この押圧部（１４）が、接続部（３）を介すか介せずして、吸着部（２）と接続されていることを特徴とする携帯電話用指固定具（４０）。
【発明の詳細な説明】
【技術分野】
【０００１】
本発明は、携帯電話機のボタン操作の補助に関するもので、携帯電話機を片手で把持しながらの同手の親指によるボタン操作性を向上させる携帯電話用指固定具に関するものである。
【背景技術】
【０００２】
近年、市販される携帯電話機は、例えば図５に示すように片手で把持してボタン操作を行うことが多い。携帯電話機の把持方法は、図５のように親指以外の四指と親指の付け根付近の手のひら部分で携帯電話機の両側面を挟み込み、ボタン操作は親指にて行う。カメラ付き携帯電話機での撮影時にも同様である。
【０００３】
このため、従来ではリング状の部材を携帯電話機の操作部の背面に貼り付け、これに指を通して手のひらに携帯電話機を密着させることにより、落下防止と安定的なボタン操作を可能とする発明考案がなされている。
【特許文献１】実用新案登録第３１０５１７０号
【発明の開示】
【発明が解決しようとする課題】
【０００４】
しかし、上記の方法では人により異なる指のサイズへの対応が困難であり、小さければ挿入が難しく、大きければ固定効果が減少する。このリングに切れ目を入れたとしても、この問題は余り改善しない。また指１本による固定のため、把持する携帯電話機の重心を安定させにくいなどの問題がのこる。さらに両面テープや接着剤等でリング状の部材を固定すれば、机上に置くときや収納時に邪魔になり、かつデザイン性も阻害されるという問題がある。
【０００５】
携帯電話機のメール機能を多用する使用者は、長時間不自然な状態で親指を使用することとなり、親指の疲労や筋肉傷害等が起こす可能性が高い。また、最近増加したカメラ付き携帯電話機においては、撮影操作時に手ぶれを起こしやすいという問題がある。
本発明が解決する課題は、メール機能やカメラ機能をそなえた携帯電話機を片手で把持する場合、携帯電話機の操作部の背面を親指以外の四指のいずれかの指先側に固定することにより、同手の親指の付け根付近の手のひら部分にかかる保持力を不要とし、同手親指によるボタン操作性を図るとともに親指の動きをより自然な状態にすることができる携帯電話用指固定具を提供することである。
【課題を解決するための手段】
【０００６】
請求項１記載の携帯電話用指固定具１０（以下本発明１という）は、携帯電話機の背面に取り付けられる指固定具であり、親指以外の四指のいずれかの指先を背面から押さえるための、樹脂あるいは金属からなる複数の翼を有する形状の押圧部１と、前記押圧部１を携帯電話機の背面に固定するための吸盤等を用いた吸着部２、さらに、押圧部１と吸着部２を繋ぐ接続部３によって構成されていることを特徴とする。
【０００７】
請求項２記載の携帯電話用指固定具２０（以下本発明２という）は、上記押圧部１の代りに、球状の押圧部１１とし、上記吸着部２と、この球状の押圧部１１を繋ぐ接続部３により構成されることを特徴とする。
【０００８】
請求項３記載の携帯電話用指固定具３０（以下本発明３という）は、上記押圧部１の代りに、上記吸着部２の吸着面に対し平行方向に開口部を有する断面コ字状の押圧部１２、又は断面楔状の押圧部１３とし、この押圧部１２、又は１３が、接続部３を介すか介せずして、吸着部２と接続されていることを特徴とする。
【０００９】
請求項４記載の携帯電話用指固定具４０（以下本発明４という）は、上記押圧部１の代りに、上記吸着部２の吸着面に対し平行方向に円盤状の平板を有し、その両端には中央に向かい斜め上方に延びた一対の舌片１５、１５を持った形状の押圧部１４とし、この押圧部１４が、接続部３を介すか介せずして、吸着部２と接続されていることを特徴とする。
【発明の効果】
【００１０】
本発明１、本発明２、本発明３、本発明４による携帯電話用指固定具を使用して携帯電話機を片手で把持する場合、図６に示すように携帯電話機の操作部の背面を親指以外の四指のいずれかの指先側に固定することにより、図７に示すように従来必要とされた同手の親指の付け根付近の手のひら部分にかかる保持力が不要となる。そのため同手親指の付け根部分は解放され、親指の指先を自由に動かすことができる。
【００１１】
この結果、操作時において親指の先の稼動域が広くなり、操作性が格段に向上する。この効果により、携帯電話機のメール機能を多用する使用者は、図５に示すように長時間不自然な状態で親指を使用することが無くなり、親指の疲労が軽減される。また、カメラ付き携帯電話機での撮影時にも電話機の保持とボタン操作性が向上することで、思い通りのシーンの撮影がしやすくなり、かつ手ぶれも起こりにくくなる。
【発明を実施するための最良の形態】
【００１２】
以下、添付図面に基づいて本発明の実施例について詳細説明をするが、例示は単に説明用のものであり、後述する具体的構成に限定されるものではなく、必要に応じ適宜構成を変形、追加又は削除した構成としても良い。
【実施例】
【００１３】
図１に示すように携帯電話機９０の背面に任意の位置で着脱自由に指固定具１０を取り付ける。
【００１４】
指固定具１０は、２本の指を背面から押さえるために、幅８ミリ長さ３５ミリの翼状の形状をした樹脂製の押圧部１と、前記押圧部１を携帯電話機９０の背面に固定するための直径１５ミリの吸盤を用いた吸着部２さらに、押圧部１の底面中央と吸着部２の頂上を繋ぐ長さ１０ミリ直径５ミリの接続部３によって構成されている。
【００１５】
使用者は、図６に示すように押圧部１と携帯電話機９０の背面の間に指を挿入し、接続部３を２本の指により挟持することにより携帯電話機を片手で把持し、ボタン操作を行う。
【００１６】
この場合、指固定具１０に連結具４を設けた場合、携帯電話機に附帯されたストラップに連結することにより落下防止に役立つ。また押圧部１の素材は指を支えることが可能であればいずれでもよく、形状も指に沿うような曲率を持った翼状にしてもよく、キャラクター等の意匠が施されていてもよい。吸着部２の吸盤のかわりに、直径３ミリ程度の小さな吸盤を複数個配置した平板状の部材を使用してもよい。接続部３に回転軸を設けても良い。
【００１７】
図２に示す指固定具２０は、指の滑り止めとなる直径８ミリの球体を押圧部１１とし、直径１５ミリの吸盤を吸着部２とし、これらを繋ぐ長さ１０ミリ直径５ミリの接続部３によって構成され、接続部３を二本の指にて狭持できる形状としている。
【００１８】
図３aに示す指固定具３０aは、直径１５ミリの吸盤を吸着部２とし、この頂点に、幅８ミリ厚さ3ミリの樹脂部材を底辺の長さ２５ミリ、開口のある側面の高さ１7ミリのコ字状とした押圧部１２を設け、開口部を指挿入部としている。
【００１９】
図３bに示す指固定具３０bは、直径１５ミリの吸盤を吸着部２とし、この頂点に、幅８ミリ厚さ3ミリの樹脂部材を底辺の長さ２５ミリ、開口のある側面の高さ１７ミリの楔状とした押圧部１３を設け、開口部を指挿入部としている。
【００２０】
図４に示す指固定具４０は直径１５ミリの吸盤を吸着部２とし、この頂点に、直径３０ミリの円盤状の平板を設け、その両端には中心に向かう幅１０ミリ長さ１２ミリの一対の舌片を持った形状の押圧部１４からなり、円盤状の平板と一対の舌片との隙間を指挿入部としている。
【産業上の利用可能性】
【００２１】
携帯電話機の機能が増え、日常における使用頻度が増えるに従い、落下防止や操作性向上のみならず、操作快適性に対する補助機能が求められ、本発明のような簡便な構造および使用方法の携帯電話用指固定具は幅広い年代層に利用されると予測される。
【図面の簡単な説明】
【００２２】
【図１】本発明１の実施例の一例を示した斜視図である。
【図２】本発明２の平面図および断面図である。
【図３】本発明３(a)(b)の平面図および断面図である。
【図４】本発明４の平面図および断面図である。
【図５】従来行われていた親指の操作状態の一例を示した図である。
【図６】本発明１の実施例の一例として使用状態を示した図である。
【図７】本発明１の実施例の一例として親指の操作状態を示した図である。
【符号の説明】
【００２３】
１、１１、１２、１３、１４：押圧部
１５：舌片
２：吸着部
３：接続部
４：連結具
１０、２０、３０、４０：指固定具
８０：親指
９０：携帯電話機
【図１】
2007053603.tif 000003
【図２】
2007053603.tif 000004
【図３】
2007053603.tif 000005
【図４】
2007053603.tif 000006
【図５】
2007053603.tif 000007
【図６】
2007053603.tif 000008
【図７】
2007053603.tif 000009